(57)【要約】【課題】制御ケーブルの端部が昇降路の上部に固定された状態でも、制御ケーブルを円滑に送り出すことができるエレベーターのケーブル送出装置。【解決手段】エレベーターのケーブル送出装置は、エレベーターのかごの天井において、前記エレベーターに用いられる制御ケーブルが渦巻き状に巻かれている状態において前記制御ケーブルを下方から支持し得るように設けられ、前記制御ケーブルの外側の端部の側から前記制御ケーブルを送り出し得るように回転自在に設けられた支持装置と、前記支持装置に設けられ、前記制御ケーブルの外側の端部が昇降路の上部に固定された状態で前記かごが下方に移動した際に前記支持装置が回転しながら前記制御ケーブルを送り出す状態において、前記支持装置による前記制御ケーブルの支持角度を調整し得るように設けられた角度調整装置と、を備えた。【選択図】図４
2018197155.tif 000002
【特許請求の範囲】
【請求項１】
エレベーターのかごの天井において、前記エレベーターに用いられる制御ケーブルが渦巻き状に巻かれている状態において前記制御ケーブルを下方から支持し得るように設けられ、前記制御ケーブルの外側の端部の側から前記制御ケーブルを送り出し得るように回転自在に設けられた支持装置と、
前記支持装置に設けられ、前記制御ケーブルの外側の端部が昇降路の上部に固定された状態で前記かごが下方に移動した際に前記支持装置が回転しながら前記制御ケーブルを送り出す状態において、前記支持装置による前記制御ケーブルの支持角度を調整し得るように設けられた角度調整装置と、
を備えたエレベーターのケーブル送出装置。
【請求項２】
前記支持装置は、
前記制御ケーブルを下方から支持し得るように設けられ、回転自在に設けられた支持部と、
前記かごの天井に対して着脱自在に設けられた固定部と、
前記支持部が前記かごの天井から浮いた状態となるように前記支持部と前記固定部とを連結した連結部と、
を備え、
前記角度調整装置は、前記連結部に設けられた請求項１に記載のエレベーターのケーブル送出装置。
【請求項３】
前記支持装置の上方に設けられ、前記支持装置の周辺において前記制御ケーブルの一部を案内する案内装置、
を備えた請求項１または請求項２にエレベーターのケーブル送出装置。
【請求項４】
エレベーターの昇降路の上部において前記エレベーターのかごの天井に請求項１から請求項３のいずれか１項に記載のケーブル送出装置を取り付けるケーブル送出装置取付工程と、
前記ケーブル送出装置取付工程の後、前記エレベーターに用いられる制御ケーブルが渦巻き状に巻かれている状態において前記制御ケーブルを前記ケーブル送出装置に搭載する制御ケーブル搭載工程と、
前記制御ケーブル搭載工程の後、前記制御ケーブルの外側の端部を昇降路の上部に固定する制御ケーブル固定工程と、
前記制御ケーブル固定工程の後、前記かごを下方に移動させるかご移動工程と、
を備えたエレベーターのケーブル送出方法。
【発明の詳細な説明】
【技術分野】
【０００１】
この発明は、エレベーターのケーブル送出装置およびケーブル送出方法に関する。
【背景技術】
【０００２】
特許文献１は、エレベーターのケーブル送出装置を開示する。当該ケーブル送出装置によれば、制御ケーブルを架設する際の作業性を向上し得る。
【先行技術文献】
【特許文献】
【０００３】
【特許文献１】特開２０１２−１４８８５７号公報
【発明の概要】
【発明が解決しようとする課題】
【０００４】
しかしながら、特許文献１に記載のケーブル送出装置は、制御ケーブルを水平方向に送り出す。このため、制御ケーブルの端部が昇降路の上部に固定された状態においては、制御ケーブルが円滑に送り出されないこともある。
【０００５】
この発明は、上述の課題を解決するためになされた。この発明の目的は、制御ケーブルの端部が昇降路の上部に固定された状態でも、制御ケーブルを円滑に送り出すことができるエレベーターのケーブル送出装置およびケーブル送出方法を提供することである。
【課題を解決するための手段】
【０００６】
この発明に係るエレベーターのケーブル送出装置は、エレベーターのかごの天井において、前記エレベーターに用いられる制御ケーブルが渦巻き状に巻かれている状態において前記制御ケーブルを下方から支持し得るように設けられ、前記制御ケーブルの外側の端部の側から前記制御ケーブルを送り出し得るように回転自在に設けられた支持装置と、前記支持装置に設けられ、前記制御ケーブルの外側の端部が昇降路の上部に固定された状態で前記かごが下方に移動した際に前記支持装置が回転しながら前記制御ケーブルを送り出す状態において、前記支持装置による前記制御ケーブルの支持角度を調整し得るように設けられた角度調整装置と、を備えた。
【０００７】
この発明に係るエレベーターのケーブル送出方法は、エレベーターの昇降路の上部において前記エレベーターのかごの天井に前記ケーブル送出装置を取り付けるケーブル送出装置取付工程と、前記ケーブル送出装置取付工程の後、前記エレベーターに用いられる制御ケーブルが渦巻き状に巻かれている状態において前記制御ケーブルを前記ケーブル送出装置に搭載する制御ケーブル搭載工程と、前記制御ケーブル搭載工程の後、前記制御ケーブルの外側の端部を昇降路の上部に固定する制御ケーブル固定工程と、前記制御ケーブル固定工程の後、前記かごを下方に移動させるかご移動工程と、を備えた。
【発明の効果】
【０００８】
これらの発明によれば、支持装置による制御ケーブルの支持角度が調整される。このため、制御ケーブルの端部が昇降路の上部に固定された状態でも、制御ケーブルを円滑に送り出すことができる。
【図面の簡単な説明】
【０００９】
【図１】この発明の実施の形態１におけるエレベーターのケーブル送出装置が適用されるエレベーターの構成図である。
【図２】この発明の実施の形態１におけるエレベーターのケーブル送出装置が適用されるエレベーターの構成図である。
【図３】この発明の実施の形態１におけるエレベーターのケーブル送出装置が適用されるエレベーターの構成図である。
【図４】この発明の実施の形態１におけるエレベーターのケーブル送出装置が適用されるエレベーターの構成図である。
【図５】この発明の実施の形態１におけるエレベーターのケーブル送出装置が適用される制御ケーブルの斜視図である。
【図６】この発明の実施の形態１におけるエレベーターのケーブル送出装置の斜視図である。
【図７】この発明の実施の形態１におけるエレベーターのケーブル送出装置により制御ケーブルを送り出す方法を説明するためのフローチャートである。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１から図４はこの発明の実施の形態１におけるエレベーターのケーブル送出装置が適用されるエレベーターの構成図である。
【００１２】
図１から図４のエレベーターにおいて、昇降路１は、建築物の各階を貫く。複数の乗場２の各々は、建築物の各階に設けられる。複数の乗場２の各々は、昇降路１に対向する。なお、図１から図４においては、１つの乗場２のみが示される。
【００１３】
機械室３は、昇降路１の上方に設けられる。巻上機４は、昇降路１の内部に設けられる。主索５は、巻上機４に巻き掛けられる。
【００１４】
かご６は、昇降路１の内部に設けられる。かご６は、主索５の一側に吊り下げられる。つり合いおもり７は、昇降路１の内部に設けられる。つり合いおもり７は、主索５の他側に吊り下げられる。
【００１５】
かごドア８は、かご６の出入口に設けられる。複数の乗場ドア９の各々は、複数の乗場２の各々の出入口に設けられる。なお、図１から図４においては、１つの乗場２の乗場ドア９のみが示される。
【００１６】
例えば、制御装置１０は、機械室３の内部に設けられる。例えば、制御装置１０は、機械室３が存在しないエレベーターの場合において昇降路１の上部に設けられることもある。
【００１７】
制御装置１０が巻上機４を動作させると、主索５が移動する。主索５が移動すると、かご６とつり合いおもり７が互いに反対方向に移動する。その結果、かご６は、所望の階まで昇降し得る。
【００１８】
かご６が所望の階に到着すると、かごドア８が当該階の乗場ドア９に対向する。この状態において、制御装置１０は、かごドア８を開閉させる。この際、乗場ドア９は、かごドア８の開閉に連動して開閉する。
【００１９】
ケーブル送出装置１１は、かご６の天井に着脱自在に設けられる。ケーブル送出装置１１は、エレベーターの制御ケーブル１２が架設される際にかご６の天井に取り付けられる。ケーブル送出装置１１は、制御ケーブル１２を支持する。
【００２０】
図１に示されるように、作業者は、制御ケーブル１２の外側の端部を昇降路１の上部に固定する。
【００２１】
その後、図２に示されるように、作業者は、かご６を最下階まで移動させる。この際、制御ケーブル１２は、外側の端部を昇降路１の上部に固定された状態でケーブル送出装置１１から送り出される。その後、作業員は、ケーブル送出装置１１の残った制御ケーブル１２を昇降路１の底部に移動させる。
【００２２】
その後、図３に示されるように、作業員は、昇降路１の底部に移動する。その後、作業員は、制御ケーブル１２の一部をかご６の下部に固定する。
【００２３】
その後、図４に示されるように、作業者は、かご６の天井に移動する。その後、作業者は、制御ケーブル１２をかご６の天井に固定する。
【００２４】
次に、図５を用いて、制御ケーブル１２を説明する。
図５はこの発明の実施の形態１におけるエレベーターのケーブル送出装置が適用される制御ケーブルの斜視図である。
【００２５】
図５に示されるように、制御ケーブル１２は、渦巻き状に巻かれている状態において段ボール１３に梱包される。例えば、制御ケーブル１２の断面は、矩形である。制御ケーブル１２の断面は、円形のこともある。制御ケーブル１２の断面は、楕円形のこともある。
【００２６】
図示されないが、制御ケーブル１２の外側の端部は、複数のコネクタを備える。複数のコネクタの各々は、昇降路１の側の複数のコネクタの各々と電気的に接続し得るように設けられる。
【００２７】
図示されないが、制御ケーブル１２の内側の端部は、複数のコネクタを備える。複数のコネクタの各々は、かご６の側の複数のコネクタの各々と電気的に接続し得るように設けられる。
【００２８】
次に、図６を用いて、ケーブル送出装置１１を説明する。
図６はこの発明の実施の形態１におけるエレベーターのケーブル送出装置の斜視図である。
【００２９】
図６に示されるように、ケーブル送出装置は、支持装置１４と角度調整装置１５と案内装置１６とを備える。
【００３０】
支持装置１４は、支持部１４ａと固定部１４ｂと連結部１４ｃとを備える。
【００３１】
支持部１４ａは、制御ケーブル１２を下方から支持し得るように設けられる。支持部１４ａは、回転自在に設けられる。例えば、支持部１４ａは、平状に形成される。例えば、支持部１４ａは、矩形状に形成される。
【００３２】
固定部１４ｂは、かご６の天井に対して着脱自在に設けられる。例えば、固定部１４ｂは、平状に形成される。例えば、固定部１４ｂは、円形状に形成される。
【００３３】
連結部１４ｃは、支持部１４ａがかご６の天井から浮いた状態となるように支持部１４ａと固定部１４ｂとを連結する。例えば、連結部１４ｃは、棒状に形成される。例えば、連結部１４ｃの上端部は、支持部１４ａから上方に突き出すように設けられる。例えば、連結部１４ｃの上端部は、制御ケーブル１２の内側に配置されるように設けられる。
【００３４】
角度調整装置１５は、支持装置１４による制御ケーブル１２の支持角度を調整し得るように設けられる。例えば、角度調整装置１５は、支持装置１４の連結部１４ｃに設けられる。この際、角度調整装置１５は、支持装置１４の支持部１４ａによる制御ケーブル１２の支持角度を調整し得るように設けられる。
【００３５】
案内装置１６は、支持装置１４の上方に設けられる。案内装置１６は、制御ケーブル１２の一部を案内し得るように設けられる。例えば、案内装置１６は、かご６の天井において図示されない安全柵に設けられる。例えば、案内装置１６は、かご６の天井において図示されない手摺に設けられることもある。例えば、案内装置１６は、かご６の天井において図示されない上梁に設けられる。例えば、案内装置１６は、支持装置１４の支持部１４ａに連結されることもある。
【００３６】
次に、図７を用いて、制御ケーブル１２の送り出す方法の概要を説明する。
図７はこの発明の実施の形態１におけるエレベーターのケーブル送出装置により制御ケーブルを送り出す方法を説明するためのフローチャートである。
【００３７】
ステップＳ１では、作業員は、ケーブル送出装置取付工程を実施する。具体的には、作業員は、昇降路１の上部においてかご６の天井にケーブル送出装置１１を取り付ける。
【００３８】
その後、作業員は、ステップＳ２の工程を実施する。ステップＳ２では、作業員は、制御ケーブル搭載工程を実施する。具体的には、作業員は、制御ケーブル１２が渦巻き状に巻かれている状態において制御ケーブル１２をケーブル送出装置１１に搭載する。
【００３９】
その後、作業員は、ステップＳ３の工程を実施する。ステップＳ３では、作業員は、制御ケーブル固定工程を実施する。具体的には、作業員は、制御ケーブル１２の外側の端部を昇降路１の上部に固定する。
【００４０】
その後、作業員は、ステップＳ４の工程を実施する。ステップＳ４では、作業員は、かご移動工程を実施する。具体的には、作業員は、図示されないかご上スイッチを操作してかご６を下方に移動させる。
【００４１】
この際、支持装置１４は、かご６の下方への移動量に応じて支持部１４ａを回転させながら制御ケーブル１２の外側の端部を送り出す。角度調整装置１５は、制御ケーブル１２の送り出し量に応じて支持装置１４による制御ケーブル１２の支持角度を調整する。案内装置１６は、支持装置１４の周辺において制御ケーブル１２の一部を案内する。
【００４２】
以上で説明した実施の形態１によれば、支持装置１４は、かご６の下方への移動量に応じて支持部１４ａを回転させながら制御ケーブル１２の外側の端部を送り出す。角度調整装置１５は、制御ケーブル１２の送り出し量に応じて支持装置１４による制御ケーブル１２の支持角度を調整する。このため、制御ケーブル１２の端部が昇降路１の上部に固定された状態でも、制御ケーブル１２を円滑に送り出すことができる。
【００４３】
また、制御ケーブル１２の支持部１４ａは、かご６の天井から浮いた状態となる。このため、支持装置１４による制御ケーブル１２の支持角度を容易に調整することができる。
【００４４】
また、案内装置１６は、支持装置１４の周辺において制御ケーブル１２の一部を案内する。このため、制御ケーブル１２の一部は、常に一定の位置に配置される。その結果、制御ケーブルがねじれることを抑制しつつ、制御ケーブルを円滑に送り出すことができる。
【００４５】
なお、段ボール１３に梱包された状態の制御ケーブル１２を送り出してもよい。この場合、支持装置１４の支持部１４ａの外周において段ボール１３の外形に合わせた壁を形成すればよい。この場合、段ボール１３に梱包された状態の制御ケーブル１２が支持装置１４の支持部１４ａから落下することを抑制できる。
【符号の説明】
【００４６】
１  昇降路、  ２  乗場、  ３  機械室、  ４  巻上機、  ５  主索、  ６  かご、  ７  つり合いおもり、  ８  かごドア、  ９  乗場ドア、  １０制御装置、  １１  ケーブル送出装置、  １２  制御ケーブル、  １３  段ボール、  １４  支持装置、  １４ａ  支持部、  １４ｂ  固定部、  １４ｃ  連結部、  １５  角度調整装置、  １６  案内装置
【図１】
2018197155.tif 000003
【図２】
2018197155.tif 000004
【図３】
2018197155.tif 000005
【図４】
2018197155.tif 000006
【図５】
2018197155.tif 000007
【図６】
2018197155.tif 000008
【図７】
2018197155.tif 000009